(57)【要約】  吸引機能及び圧力機能付きの多機能シャワーヘッド取付け装置は、ユーザが、従来のシャワーヘッドに選択的に取り外し可能に連結できる手持ち式装置を用いて液体の加圧された流れを誘導する又は吸引することを可能にする。装置は、負圧真空及び流体の加圧放出を選択的に誘導するために、バルブ移動経路に沿って選択的に操作される流体移送網を含む筐体を含む。真空は、加圧された流体が導管の構成を通って、ベンチュリ水管を越えて、及び二次出口ポートを通って迂回するにつれ生成され、それによって隣接する流体連結された導管を通って真空を生じさせる。加圧流体放出は、進入してくる加圧流体が一連の導管を通って出口ポートに直接的に迂回するにつれ生成される。筐体は、それによってユーザが、吸引と加圧流体放出の両方を用いてアクネ／オイルなどを洗浄し、除去する手持ち式吸引及び圧力筐体アセンブリに連結される。【選択図】図１
2022500199.tif 000002
【特許請求の範囲】
【請求項１】
吸引及び圧力の機能付きの多機能衛生器具取付け装置であって、
吸入ポートと、出口ポートと、二次出口ポートと、バルブポートとを画定する筐体と、
前記筐体内に配置され、前記筐体の前記吸入ポートに連結された第１の導管と、前記筐体の前記出口ポートに連結された第２の導管と、前記筐体の前記出口ポートに連結された第３の導管と、前記筐体の前記二次出口ポートに連結された第４の導管であって、ベンチュリ水管を形成する前記第４の導管と、前記ベンチュリ水管で前記第４の導管に流体連結された第５の導管とを有する流体移送網と、
前記筐体内に配置され、前記筐体に連結され、前記バルブポートを通して伸長し、バルブレバーに連結されたバルブ軸を有するバルブ筐体であって、前記バルブ軸が内部流体穴を有し、前記バルブ軸が、前記バルブ軸上に画定され、前記内部流体穴から構造的に及び流体的に独立している二次内部流体穴をさらに有し、前記バルブ軸が、バルブ移動経路で選択的に移動するように動作可能に構成され、前記バルブ軸が、
互いに流体連結された前記第１の、前記第２の、前記第３の、前記第４の、及び前記第５の導管と、前記第１の、前記第２の、前記第３の、前記第４の、及び前記第５の導管に流体連結されておらず、前記第２の導管、前記二次内部流体穴、及び前記第５の導管内で真空を生成するように動作可能に構成された前記内部流体穴とを有する前記バルブ移動経路に沿った真空位置と、
互いに流体連結され、前記第４の及び前記第５の導管に流体連結されていない前記内部流体穴、前記第１の、前記第２の、及び前記第３の導管とを有する前記バルブ移動経路に沿った加圧放出位置と
を有するように動作可能に構成された、バルブ筐体と、
前記吸入ポートと流体連通し、前記吸入ポートと選択的に取り外し可能に連結できる流体源であって、前記流体源が、前記吸入ポートを通して加圧された駆動用流体を放出するよう作動し、それによって前記真空位置で、前記加圧された駆動用流体が前記第４の導管内の前記ベンチュリ水管を通って、及び前記二次出口ポートを通って迂回し、それによって前記ベンチュリ水管を通過する前記駆動用流体が、前記第２の導管、前記二次内部流体穴、及び前記第５の導管内で前記真空を生じさせ、それによって前記加圧放出位置で、前記加圧された駆動用流体が、前記第１の導管、前記内部流体穴、及び前記第３の導管を通って迂回し、それによって前記加圧された駆動用流体が前記出口ポートを通って流れ出る、流体源と、
筐体と、前記筐体に連結されたノズルとを有する手持ち式吸引及び圧力筐体アセンブリであって、前記ノズルがノズル開口部を画定し、前記ノズルが前記筐体の前記出口ポートに流体連結された、手持ち式吸引及び圧力筐体アセンブリと
を備える、多機能衛生器具取付け装置。
【請求項２】
前記二次内部流体穴が、バルブ壁によって構造的に及び流体的に前記内部流体穴から独立している、
請求項１に記載の衛生器具取付け装置。
【請求項３】
前記バルブ軸が、前記バルブ筐体内で、及び最大９０度まで円形のバルブ移動経路内で選択的に移動するように動作可能に構成される、
請求項１に記載の衛生器具取付け装置。
【請求項４】
前記バルブ軸が、
上端と、前記バルブ軸の前記状上端に対向する下端と、左側面と、前記バルブ軸の前記左側面に対向する右側面と、左端と、前記バルブ軸の前記左端に対向する右端と、前記バルブ軸の前記左端及び前記右端を分離する軸長と、
前記軸長に沿って前記バルブ軸の前記周辺部を取り囲み、前記バルブ軸の前記上端に配置された第１の包囲された開口と、前記バルブ軸の前記下端に配置され、前記第１の包囲された開口と位置合わせされた第２の包囲された開口と、前記バルブ軸の前記左側面に配置された第３の包囲された開口と、前記バルブ軸の前記右側面に配置された第４の包囲された開口と、前記バルブ軸の前記下端に配置された第５の包囲された開口とを画定する外面と
をさらに備える、請求項１に記載の衛生器具取付け装置。
【請求項５】
前記手持ち式吸引及び圧力筐体アセンブリの前記筐体及び前記バルブ筐体を連結する可撓性ユニット導管と
をさらに備える、請求項１に記載の衛生器具取付け装置。
【請求項６】
前記バルブ移動経路に沿った前記真空位置が、前記第１の、前記第２の、前記第３の、前記第４の、及び前記第５の導管、並びに前記可撓ユニット導管に流体連結されていない前記第４の包囲された開口と、前記第１の、前記第２の、前記第３の、前記第４の、及び前記第５の導管、並びに前記可撓性ユニット導管に流体連結された前記第５の包囲された開口及び前記二次内部流体穴とを含む、
請求項５に記載の衛生器具取付け装置。
【請求項７】
前記バルブ移動経路に沿った前記加圧放出位置が、前記第１の、前記第２の、及び前記第３の導管、並びに前記可撓性ユニット導管に流体連結された前記第１の及び前記第４の包囲された開口、並びに前記内部流体穴と、前記第１の、前記第２の、前記第３の、前記第４の、及び前記第５の導管、並びに前記可撓性ユニット導管に流体連結されていない前記第５の包囲された開口及び前記二次内部流体穴とを含む、
請求項６に記載の衛生器具取付け装置。
【請求項８】
前記流体移送導管網の前記導管が、以下、つまり前記筐体の前記筐体に連結された少なくとも１つの直管と、前記筐体に連結された少なくとも１つのエルボ管と、前記バルブ筐体に連結された噴出口とのうちの少なくとも１つを含む、
請求項１に記載の衛生器具取付け装置。
【請求項９】
前記バルブ移動経路が前記真空位置にあるとき、前記ノズル開口部が、前記手持ち式吸引及び圧力筐体アセンブリの前記筐体の中に空気を吸い込むよう作動し、前記二次出口ポートを通して前記空気を放出する、
請求項１に記載の衛生器具取付け装置。
【請求項１０】
前記バルブ移動経路が前記加圧放出位置にあるとき、前記ノズル開口部が、前記加圧された駆動用流体を放出するよう作動する、
請求項１に記載の衛生器具取付け装置。
【請求項１１】
前記ノズル開口部が、少なくとも１つの二次取付け具に流体連結される、
請求項１に記載の衛生器具取付け装置。
【請求項１２】
前記衛生器具がシャワーヘッドを備える、
請求項１に記載の衛生器具取付け装置。
【請求項１３】
吸引及び圧力の機能付きの衛生器具取付け装置であって、
吸入ポートと、出口ポートと、二次出口ポートと、バルブポートとを画定する筐体と、
前記筐体内に配置され、前記筐体に連結され、前記バルブポートを通って伸長し、バルブレバーに連結されたバルブ軸を有するバルブ筐体であって、前記バルブ軸が内部流体穴を有し、バルブ移動経路で選択的に移動するように動作可能に構成される、バルブ筐体と、
前記筐体内に配置され、前記バルブ筐体に構造的に連結され、前記筐体の前記吸入ポートに連結された第１の導管と、前記バルブ筐体に構造的に連結され、前記筐体の前記出口ポートに連結された第２の導管と、前記バルブ筐体に構造的に連結され、前記筐体の前記出口ポートに連結された第３の導管と、前記バルブ筐体に構造的に連結され、前記筐体の前記二次出口ポートに連結された第４の導管と、前記バルブ筐体に構造的に連結され、前記第４の導管に流体連結された第５の導管とを有する流体移送導管網と、
筐体と、前記筐体に連結されたノズルとを有し、手持ち式吸引及び圧力筐体アセンブリの前記筐体及び前記バルブ筐体に連結された可撓性ユニット導管を通して前記筐体の前記出口ポートに流体連結されたノズル開口部を画定する前記手持ち式吸引及び圧力筐体アセンブリであって、前記バルブ軸が、
互いに流体連結された前記第１の、前記第２の、前記第３の、前記第４の、及び前記第５の導管、並びに前記可撓性ユニット導管と、前記第１の、前記第２の、前記第３の、前記第４の、及び前記第５の導管、並びに前記可撓性ユニット導管に流体連結されておらず、前記第２の及び前記第５の導管内で真空を生成するように動作可能に構成された前記内部流体穴とを有する前記バルブ移動経路に沿った真空位置と、
互いに流体連結され、前記第４の及び前記第５の導管に流体連結されていない前記内部流体穴と、前記第１の、前記第２の、及び前記第３の導管と、前記可撓性ユニット導管とを有する前記バルブ移動経路に沿った加圧放出位置と
を有するように構成された、手持ち式吸引及び圧力筐体アセンブリと
を備える、衛生器具取付け装置。
【請求項１４】
バルブ壁によって前記内部流体穴から構造的に及び流体的に独立している二次内部流体穴と
をさらに備える、請求項１３に記載の衛生器具取付け装置。
【請求項１５】
前記流体移送導管網の前記導管が、以下、つまり前記筐体に連結された少なくとも１つの直管と、前記筐体に連結された少なくとも１つのエルボ管と、前記バルブ筐体に連結された噴出口とのうちの少なくとも１つを含む、
請求項１３に記載の衛生器具取付け装置。
【請求項１６】
前記バルブ軸が、
上端と、前記バルブ軸の前記上端に対向する下端と、左側面と、前記バルブ軸の前記左側面に対向する右側面と、左端と、前記バルブ軸の前記左端に対向する右端と、前記バルブ軸の前記左端及び前記右端を分離する軸長と、
前記軸長に沿って前記バルブ軸の前記周辺部を取り囲み、前記バルブ軸の前記上端に配置された第１の包囲された開口と、前記バルブ軸の前記下端に配置され、前記第１の包囲された開口と位置合わせされた第２の包囲された開口と、前記バルブ軸の前記左側面に配置された第３の包囲された開口と、前記バルブ軸の前記右側面に配置された第４の包囲された開口と、前記バルブ軸の前記下端に配置された第５の包囲された開口とを画定する外面と
をさらに備える、請求項１３に記載の衛生器具取付け装置
【請求項１７】
前記バルブ移動経路に沿った前記真空位置が、前記第１の、前記第２の、前記第３の、前記第４の、及び前記第５の導管、並びに前記可撓ユニット導管に流体連結されていない前記第４の包囲された開口と、前記第１の、前記第２の、前記第３の、前記第４の、及び前記第５の導管、並びに前記可撓性ユニット導管に流体連結された前記第５の包囲された開口及び前記二次内部流体穴とを含み、前記バルブ移動経路に沿った前記加圧放出位置が、前記第１の、前記第２の、及び前記第３の導管、並びに前記可撓性ユニット導管に流体連結された前記第１の及び前記第４の包囲された開口、並びに前記内部流体穴と、前記第１の、前記第２の、前記第３の、前記第４の、及び前記第５の導管、並びに前記可撓性ユニット導管に流体連結されていない前記第５の包囲された開口及び前記二次内部流体穴とを含む、請求項１６に記載の衛生器具取付け装置。
【請求項１８】
前記第４の導管がベンチュリ水管を形成する、
請求項１３に記載の衛生器具取付け装置。
【請求項１９】
前記吸入ポートと流体連通し、前記吸入ポートと選択的に取り外し可能に連結できる流体源であって、前記流体源が、前記吸入ポートを通して加圧された駆動用流体を放出するよう作動し、それによって前記真空位置で、前記加圧された駆動用流体が前記第４の導管内の前記ベンチュリ水管を通って、及び前記二次出口ポートを通って迂回し、それによって前記ベンチュリ水管を通過する前記駆動用流体が、前記第２の導管、前記二次内部流体穴、及び前記第５の導管内で前記真空を生じさせ、それによって前記加圧放出位置で、前記加圧された駆動用流体が、前記第１の導管、前記内部流体穴、及び前記第３の導管を通って迂回し、それによって前記加圧された駆動用流体が前記出口ポートを通って流れ出る、流体源と
をさらに備える、請求項１８に記載の衛生器具取付け装置。
【請求項２０】
吸引及び圧力の機能付きの多機能衛生器具取付け装置であって、
吸入ポートと、出口ポートと、二次出口ポートと、バルブポートとを画定する筐体と、
前記筐体内に配置され、前記筐体の前記吸入ポートに連結された第１の導管と、前記筐体の前記出口ポートに連結された第２の導管と、前記筐体の前記出口ポートに連結された第３の導管と、前記筐体の前記二次出口ポートに連結された第４の導管と、前記ベンチュリ水管で前記第４の導管に流体連結された第５の導管とを有する流体移送網と、
以下、つまり前記筐体に連結された少なくとも１つの直管と、前記筐体に連結された少なくとも１つのエルボ管と、少なくとも１つの噴出口とのうちの少なくとも１つを含む前記流体移送導管ネットワークの前記導管と、
前記筐体内に配置され、前記筐体に連結され、前記バルブポートを通って伸長し、バルブレバーに連結されたバルブ軸を有するバルブ筐体であって、前記バルブ軸が内部流体穴を有し、前記バルブ軸が、前記バルブ軸上に画定された、前記内部流体穴から構造的に及び流体的に独立している二次内部流体穴をさらに有し、前記バルブ軸が、最大９０度まで円形のバルブ移動経路で選択的に移動するように動作可能に構成され、前記バルブ軸が、
互いに流体連結された前記第１の、前記第２の、前記第３の、前記第４の、及び前記第５の導管と、前記第１の、前記第２の、前記第３の、前記第４の、及び前記第５の導管に流体連結されておらず、前記第２の導管、前記二次内部流体穴、及び前記第５の導管内で真空を生成するように動作可能に構成された前記内部流体穴とを有する前記バルブ移動経路に沿った真空位置と、
互いに流体連結され、前記第４の及び前記第５の導管に流体連結されていない前記内部流体穴と、前記第１の、前記第２の、及び前記第３の導管とを有する前記バルブ移動経路に沿った加圧放出位置と、
前記吸入ポートと流体連通し、前記吸入ポートと選択的に取り外し可能に連結できる流体源であって、前記流体源が、前記吸入ポートを通して加圧された駆動用流体を放出するよう作動し、それによって前記真空位置で、前記加圧された駆動用流体が前記第４の導管内の前記ベンチュリ水管を通って、及び前記二次出口ポートを通って迂回し、それによって前記ベンチュリ水管を通過する前記駆動用流体が、前記第２の導管、前記二次内部流体穴、及び前記第５の導管内で前記真空を生じさせ、それによって前記加圧放出位置で、前記加圧された駆動用流体が、前記第１の導管、前記内部流体穴、及び前記第３の導管を通って迂回し、それによって前記加圧された駆動用流体が前記出口ポートを通って流れ出る、流体源と
を有するように動作可能に構成された、バルブ筐体と、
筐体と、前記筐体に連結されたノズルとを有する手持ち式吸引及び圧力筐体アセンブリであって、前記ノズルがノズル開口部を画定する、手持ち式吸引及び圧力筐体アセンブリと、
前記手持ち式吸引及び圧力筐体アセンブリの前記筐体を前記バルブ筐体に流体連結する可撓性ユニット導管と
を備える、多機能衛生器具取付け装置。
【発明の詳細な説明】
【技術分野】
【０００１】
関連出願の相互参照
本願は、その全体が参照により組み込まれる２０１８年８月３１日に出願された米国仮特許出願第６２／７６５，５９２号に対する優先権を主張する。
【０００２】
本発明は、一般的に、吸引機能及び圧力機能付きの多機能シャワーヘッド取付け装置に関し、より詳細には、ユーザが、従来のシャワーヘッド若しくは衛生器具に選択的に取り外し可能に連結できる手持ち式装置を用いて液体の加圧された流れを誘導する又は吸引することを効果的に且つ効率的に可能にする多機能シャワーヘッド取付け装置に関する。
【背景技術】
【０００３】
通常、シャワーを浴びることは、石鹸で洗い、次いで制御可能な水温を有するシャワーヘッドで洗い流すことを伴う。また、細かい噴霧、粗い噴霧、又は脈動する噴霧などの多くの異なる噴霧パターンのいずれかで水を放出できる多機能シャワーヘッドを活用することも可能である。言うまでもなく、多くの他の噴霧パターンも提供され得る。そのようなシャワーヘッドは、壁取付け式モデルと手持ち式モデルの両方で利用できる。したがって、同じ内部機構はどちらのモデルでも利用可能である必要がある。しかしながら、シャワーヘッドは、ノズルヘッドで吸い込む効果を生じさせる能力も有していないため、シャワーヘッドは単に水を放出するだけの場合がある。
【０００４】
したがって、上述した先行技術での問題を克服する必要性が存在する。
【発明の概要】
【発明が解決しようとする課題】
【０００５】
本発明は、この一般的な種類のこれまで既知であった装置及び方法の本明細書で上述の不利な点を克服し、ユーザが、従来のシャワーヘッド若しくは衛生器具に選択的に取り外し可能に連結できる手持ち式装置を用いて液体の加圧された流れを誘導する又は吸引することを効果的に且つ効率的に可能にする、吸引機能及び圧力機能付きの多機能シャワーヘッド取付け装置を提供する。装置は、負圧真空と、吐水装置構成を通る駆動用流体の加圧された放出とを選択的に引き起こすためにバルブ移動経路に沿って選択的に操作される流体移送網を含む筐体を含む。真空は、加圧された駆動用流体が、導管の第１の構成を通って、ベンチュリ水管を越えて、及び二次出口ポートを通って迂回するにつれ生成され、それによって隣接する流体連結された導管を通して真空を生じさせる。加圧流体放出は、加圧された駆動用流体が一連の導管を通って出口ポートへ直接的に迂回すると、生成される。
【０００６】
筐体は、可撓性ユニット導管によって手持ち式吸引及び圧力筐体アセンブリに連結される。生成された真空及び加圧された流体放出によって、手持ち式吸引及び圧力筐体アセンブリ内のノズルを通して、それぞれ吸引及び加圧流体放出が生じる。ユーザは、ノズルを通じて、洗浄し、水を注ぎ、アクネ／オイルを取り除くことができ、吸引と加圧された駆動用流体放出の両方を用いて他の清掃及び個人衛生機能を実行することができる。
【課題を解決するための手段】
【０００７】
上記の目的及び他の目的を視野に入れ、本発明に従って、吸入ポートと、出口ポートと、二次出口ポートと、バルブポートとを画定する筐体を含む、吸引及び圧力機能付きの多機能衛生器具取付け装置が提供される。
【０００８】
装置は、筐体内に配置されている流体移送網をさらに含む。流体移送網は、筐体の吸入ポートに連結された第１の導管を有する。また、流体移送網は、筐体の出口ポートに連結された第２の導管も有する。
【０００９】
さらに、流体移送網は、筐体の出口ポートに連結された第３の導管を有する。また、流体移送網は、筐体の二次出口ポートに連結された第４の導管も有する。一実施形態では、第４の導管は、ベンチュリ水管を形成する。また、流体移送網は、ベンチュリ水管で第４の導管に流体連結された第５の導管も有する。
【００１０】
いくつかの実施形態では、装置は、筐体内に配置され、筐体に連結されたバルブ筐体を含む。バルブ筐体は、バルブポートを通って伸長し、バルブレバーに連結されたバルブ軸を有する。バルブ軸は、内部流体穴を有する。バルブ軸は、その上に画定された、内部流体穴から構造的に及び流体的に独立している二次内部流体穴をさらに有する。
【００１１】
考えられる一実施形態では、バルブ軸は、バルブ移動経路内で選択的に移動するように動作可能に構成される。移動経路によって、バルブ軸は、バルブ移動経路に沿って真空位置を有するように構成され、第１の、第２の、第３の、第４の、及び第５の導管は互いに流体連結され、内部流体穴は、第１の、第２の、第３の、第４の、及び第５の導管に流体連結されていない。また、真空位置は、第２の導管、二次内部流体穴、及び第５の導管内で真空を生成するように動作可能に構成されている。
【００１２】
また、この移動経路によって、バルブ軸は、バルブ移動経路に沿って加圧放出位置を有するように動作可能に構成され、互いに流体連結され、内部流体穴、第１の、第２の、及び第３の導管は互いに流体連結され、第４の及び第５の導管には流体連結されていない。
【００１３】
いくつかの実施形態では、装置は、吸入ポートと流体連通し、吸入ポートと選択的に取り外しに連結できる流体源を含む。流体源は、吸入ポートを通して加圧された駆動用流体を放出するよう作動する。このようにして、真空位置で、加圧された駆動用流体は、第４の導管のベンチュリ水管を通って、及び二次出口ポート１０８を通って迂回する。したがって、ベンチュリ水管を通過する駆動用流体は、第２の導管、二次内部流体穴、及び第５の導管内で真空を生じさせる。また、加圧放出位置で、加圧された駆動用流体は、第１の導管、内部流体穴、及び第３の導管を通って迂回し、それにより加圧された駆動用流体は出口ポートを通って流れ出る。
【００１４】
また、装置は、筐体と、筐体に連結されたノズルとを有する手持ち式吸引及び圧力筐体アセンブリも含む。ノズルは、ノズル開口部を画定する。また、ノズルは、筐体の出口ポートに流体連結される。
【００１５】
別の特徴によれば、二次内部流体穴は、バルブ壁によって、内部流体穴から構造的に且つ流体的に独立している。
【００１６】
別の特徴によれば、バルブ軸は、バルブ筐体内で及び円形バルブ移動経路の中で、最大９０°まで選択的に移動するように動作可能に構成される。
【００１７】
別の特徴によれば、バルブ軸は、上端と、バルブ軸の上端に対向する下端と、左側面と、バルブ軸の左側面に対向する右側面と、左端と、バルブ軸の左端に対向する右端と、バルブ軸の左端及び右端を分離する軸長とをさらに含む。
【００１８】
別の特徴によれば、バルブ軸は、軸長に沿ってバルブ軸の周辺部を取り囲み、バルブ軸の上端に配置された第１の包囲された開口、バルブ軸の下端に配置され、第１の包囲された開口と位置合わせされた第２の包囲された開口、バルブ軸の左側面に配置された第３の包囲された開口、バルブ軸の右側面に配置された第４の包囲された開口、及びバルブ軸の下端に配置された第５の包囲された開口を画定する外面も含む。
【００１９】
本発明の別の態様では、装置は、手持ち式吸引及び圧力筐体アセンブリの筐体、及びバルブ筐体を連結する可撓性ユニット導管も含む。
【００２０】
本発明の別の態様では、バルブ移動経路に沿った真空位置は、第１の、第２の、第３の、第４の、及び第５の導管、並びに可撓性ユニット導管に流体連結されていない第４の包囲された開口と、第１の、第２の、第３の、第４の、及び第５の導管、並びに可撓性ユニット導管に流体連結されている第５の包囲された開口及び二次内部流体穴とを含む。
【００２１】
本発明のべｔの態様では、バルブ移動経路に沿った加圧放出位置は、第１の、第２の及び第３の導管、並びに可撓性ユニット導管に流体連結された第１の及び第４の包囲された開口並びに内部流体穴と、第１の、第２の、第３の、第４の、及び第５の導管並びに可撓性ユニット導管に流体連結されていない第５の包囲された開口及び二次内部流体穴とを含む。
【００２２】
本発明の別の態様では、流体移送導管網の導管は、以下、つまり筐体の筐体に連結された少なくとも１つの直管と、筐体に連結された少なくとも１つのエルボ管と、バルブ筐体に連結された噴出口とのうちの少なくとも１つを含む。
【００２３】
本発明の別の態様では、バルブ移動経路が真空位置にあるとき、ノズル開口部は、手持ち式吸引及び圧力筐体アセンブリの筐体の中に空気を吸い込むよう作動し、二次出口ポートを通して空気を放出する。
【００２４】
別の特徴によれば、バルブ移動経路が加圧放出位置にあるとき、ノズル開口部は、加圧された駆動用流体を放出するよう作動する。
【００２５】
別の特徴によれば、ノズル開口部は、少なくとも１つの二次取付け具に流体連結される。
【００２６】
本発明は、吸引機能及び圧力機能付きのシャワーヘッド取付け装置において実施されるとして本明細書に図示及び説明されているが、それにも関わらず、本発明の精神から逸脱することなくその中で、及び特許請求の範囲の範囲及び特許請求の範囲の均等物の範囲内で、多様な修正及び構造上の変更を加え得るため、本発明は示されている詳細に限定されることは意図されていない。さらに、本発明の例示的な実施形態の周知の要素は、本発明の関連する詳細を曖昧にしないように詳細に説明されない又は省略される。
【００２７】
本発明の特徴と見なされる他の特徴は、添付の特許請求の範囲に説明される。必要に応じて、本発明の詳細な実施形態は本明細書に開示されるが、開示される実施形態が、多様な形で実施できる本発明の例示に過ぎないことを理解されたい。したがって、本明細書に開示される特定の構造上の及び機能上の詳細は、限定的と解釈されるべきではなく、単に特許請求の範囲の基礎として、及び実質的に任意の適切に詳説された構造で本発明を多様に利用するために当業者を教示するための代表的な基礎として解釈されるべきである。さらに、本明細書で使用される用語及び句は、限定的となることが意図されるのではなく、むしろ本発明の理解可能な説明を提供することが意図される。明細書は、新規と見なされる本発明の特徴を定める特許請求の範囲で終わるが、本発明は、類似する参照番号が繰り返される図面の図と併せて以下の説明を考慮することからよりよく理解されると考えられる。図面の図は、縮尺通りに描かれていない。
【００２８】
本発明が開示され、説明される前に、本明細書で使用される専門用語が特定の実施形態を説明するためだけであり、限定的となることが意図されていないことを理解されたい。本明細書で使用される用語「ある」又は「１つの」は、１つ又は複数のとして定義される。本明細書で使用される用語「複数」は、２つ又は２つ以上として定義される。本明細書で使用される用語「別の」は、少なくとも第２の又はそれ以上として定義される。本明細書で使用される用語「含む」及び／又は「有する」は、含む（つまり、オープン言語）として定義される。本明細書で使用される用語「連結された」は、必ずしも直接的ではなく、必ずしも機械的ではないが、接続されているとしてs定義される。用語「提供する」は、例えば、物理的に存在するようになる、利用可能になる、及び／又は一度に若しくはある期間にわたって誰か若しくは何かに、全体として又は複数の部分で供給することなど、本明細書では広義に定義される。また、本明細書の説明のために、用語「上部」、「下部」、「左」、「後部の」、「右」、「前部の」、「垂直の」、「水平な」、及びその派生語は、図中で配向されるように本発明に関し、特定の向きは、装置のユーザの視点に基づいて変更され得るので、任意の特徴を該向きであると限定するとして解釈されるべきではない。さらに、先行する技術分野、背景技術、簡略な要約、又は続く発明を実施するための形態に提示された、明示又は暗示されたいかなる理論にも拘束される意図はない。
【００２９】
本明細書で使用されるように、用語「約」又は「約」は、明示的に示されているかどうかに関わらず、すべての数値に適用する。これらの用語は、一般的に、当業者が、列挙されている値と同等と見なす（つまり、同じ機能又は結果を有する）であろう数の範囲を指す。多くの例では、これらの用語は、最も近い有効数字に四捨五入される数を含んでよい。本書では、用語「長手方向」は、装置の引き伸ばされた方向に相当する方向を意味すると解釈されるべきである。
【００３０】
類似する参照番号が、別々の図全体で同一の又は機能的に類似した要素を指し、以下の発明を実施するための形態とともに、明細書の中に組み込まれ、明細書の一部を形成する添付の図は、多様な実施形態をさらに示し、すべて本発明に従って多様な原理及び優位点を説明するために役立つ。
【図面の簡単な説明】
【００３１】
【図１】本発明に係る例示的な多機能シャワーヘッド取付け装置の斜視図である。
【図２】本発明に係る筐体及びステムバルブの断面側面図である。
【図３】本発明に係る、真空位置に構成された流体移送網の概略図である。
【図４】本発明に従って、加圧された流体位置に構成された流体移送網の概略図である。
【図５】本発明に従って、真空位置に構成された導管及び流体穴の断面側面図である。
【図６】本発明に従って、加圧流体位置に構成された導管及び流体穴の断面側面図である。
【図７】本発明に係る、真空位置でのバルブ軸の斜視左側面図である。
【図８】本発明に係る、加圧流体位置でのバルブ軸の斜視右側面図である。
【図９】本発明に従って、ノズルが取り除かれた手持ち式吸引及び圧力筐体アセンブリの斜視図である。
【図１０】本発明に係る、ノズル付きの手持ち式吸引及び圧力筐体アセンブリの斜視図である。
【図１１】本発明に係る、可撓性ユニット導管から切断された手持ち式吸引及び圧力筐体アセンブリの斜視図である。
【図１２】本発明に係る、二次取付けライト付きの手持ち式吸引及び圧力筐体アセンブリの斜視図である。
【発明を実施するための形態】
【００３２】
本明細書は、新規と見なされる本発明の特徴を定義する特許請求の範囲で終わるが、本発明は、類似する参照番号が繰り返される図面の図と併せて以下の説明を検討することからより良く理解されると考えられる。開示されている実施形態が、多様な形式で実施できる本発明の例示にすぎないことを理解されたい。
【００３３】
本発明は、この一般的な種類のこれまで既知であった装置及び方法の本明細書で上述の不利な点を克服し、ユーザが、従来のシャワーヘッド若しくは衛生器具などの、流体入口１２４に選択的に取り外し可能に連結できる手持ち式装置を用いて液体の加圧された流れを誘導する又は吸引することを効果的に且つ効率的に可能にする、新規且つ効率的な多機能シャワーヘッド取付け装置１００を提供する。
【００３４】
本発明の実施形態は、導管２０２、２０４、２０６、２０８、２１０及び流体穴２１６、２１８の固有の流体移送網を含むバルブ軸２１４を含む筐体１０２を提供する。バルブ軸２１４は、負圧真空、及び駆動用流体３０４の加圧放出を選択的に引き起こすためにバルブ移動経路７００に沿って操作される。真空は、加圧された駆動用流体３０４が導管の第１の構成を通って、ベンチュリ水管３０２を越えて、及び二次出口ポート１０８を通って迂回するにつれ生成され、それによって隣接する流体連結された導管を通して真空を生じさせる。加圧された流体放出は、加圧された駆動用流体３０４が直接的に一連の導管を通って出口ポート１０６に迂回するにつれ生成される。
【００３５】
さらに、本発明の実施形態は、可撓性ユニット導管１１６を通して筐体及びバルブ軸と流体連通している手持ち式吸引及び圧力筐体アセンブリ１１４を提供する。真空及び加圧された流体放出は、吸引及び圧力筐体アセンブリ１１４内のノズル１２０を通して、それぞれ吸引及び／又は加圧流体放出を生じさせるために作用する。ユーザは、ノズル１２０を通じてアクネ／オイルを洗浄し、水をかけ、取り除くことができ、真空位置３００と加圧駆動流体放出位置４００とを選択的に切り替えることによって他の清掃機能及び個人生成機能を実行することができる。真空位置と加圧流体放出位置とを切り替える能力は、吐水装置などの管状のバルブスイッチによって可能である。さらに、装置１００は、操作するためにシャワーヘッド又は流し台の水栓など、加圧された水源だけを必要とする。
【００３６】
ここで図１を参照すると、本発明の一実施形態が斜視図で示されている。図１は、本発明のいくつかの有利な特徴を示しているが、以下に説明されるように、本発明はいくつかの形状、サイズ、機能及び構成要素の組み合わせ、並びに構成要素のさまざまな数及び機能で提供できる。多機能シャワーヘッド取付け装置１００、以後「装置１００」の第１の例は、当該技術で既知のシャワーヘッド、水栓、蛇口、及び他の衛生器具などの流体入口に連結するような形状及び寸法に作られた筐体１０２を含む。筐体１０２は、流体入口１２４と連結する吸入ポート１０４によって画定されている。また、筐体は、そこを通って出口ポート１０６、二次出口ポート１０８、及びバルブポート１１０が形成される底端部も有する。これらの下部ポート１０６、１０８、１１０は、以下に説明される導管と流体連通する出口を提供する。
【００３７】
装置１００は、筐体１０２内に配置される流体移送網２００をさらに含む。流体移送網２００は、ポート１０６、１０８、１１０との間で加圧駆動用流体３０４及び／又は負圧を運ぶためにともに連結されている一連の導管２０２、２０４、２０６、２０８、２１０，及び流体穴２１６、２１８を含む。導管及び流体穴の構成は、二次出口ポート１０８を通して真空を生じさせる真空位置３００と、出口ポート１０６を通る駆動用流体３０４の加圧放出を生じさせる加圧放出位置４００との間で調節するように選択的に再構成可能である。吸引及び圧力筐体アセンブリ１１４は流体移送網２００と流体連通しているので、吸引及び加圧駆動用流体はノズル１２０で経験される（図９〜図１２）。
【００３８】
非限定的な一実施形態では、流体移送網２００を構成する導管及び流体穴は、筐体の筐体に連結する少なくとも１つの直管と、筐体に連結する少なくとも１つのエルボ管と、バルブ筐体２１２に連結する噴出口とを含む。しかしながら、当該技術で既知の異なる種類の配管コネクタ及びアダプタも使用され得る。図３〜図４に示されるように、導管は、空気及び駆動用流体３０４を、効果的な吸込み及び加圧流体放出のためにそれぞれのポートに運ぶように配置される。
【００３９】
ここで図２を見ると、流体移送網２００は、筐体１０２の吸入ポート１０４に連結される第１の導管２０２を含む。第１の導管２０２は、駆動用流体３０４、つまりシャワーヘッドからの水のための最初の進入点である。導管網を続けると、流体移送網２００は、筐体１０２の出口ポート１０６に連結される第２の導管２０４も有する。さらに、流体移送網２００は、筐体１０２の出口ポート１０６に連結された第３の導管２０６を有する。
【００４０】
図３が示すように、流体移送網２００は、筐体１０２の二次出口ポート１０８に連結された第４の導管２０８も有する。一実施形態では、第４の導管は、導管２０４、２１８、２１０を通る負の空気圧効果（吸込み）を生じさせるために活用されるベンチュリ水管３０２を形成する。ベンチュリ水管３０２は、第４の導管２０８の直径内での制限として画定される。また、流体移送網２００は、ベンチュリ水管３０２で第４の導管２０８に流体連結される第５の導管２１０も有する。第５の導管２１０及びそれと流体連通している他のすべての導管で真空効果が形成される。また、真空は、出口ポート１０６、及び流体移送網２００と流体連通している吸引及び圧力筐体アセンブリ１１４のノズル１２０を通しても形成される。このようにして、駆動用流体３０４は第１の導管に進入し、気泡として二次出口ポート１０８を出て、吸い込まれた残留物３０６が出口ポート１０６を通って流体移送網２００に進入する前に、第４の導管及びベンチュリ水管３０２を通って流れる。
【００４１】
当業者は、ベンチュリが第４の導管２０８内で、そこを通って流れる駆動用流体３０４の流れ特性を変える狭窄を生じさせることを認識する。したがって、駆動用流体３０４の速度が加速すると、結果として第５の導管２１０及びそれと流体連通している他のすべての導管において圧力が低下する。流体移送網２００で真空を生じさせるためには、以下に説明されるように、圧力の低下は、第２の導管２０４、二次内部流体穴、及び第５の導管２１０で発生する。
【００４２】
いくつかの実施形態では、装置１００は、筐体１０２内に配置され、筐体１０２に連結されているバルブ筐体２１２を含む。バルブ筐体２１２は、バルブポート１１０を通って伸長するバルブ軸２１４を含む（図２を参照すること）。バルブ軸２１４は、バルブ移動経路７００に沿って回転させるために手で操作できるバルブレバー１１２に連結されている。バルブ軸２１４は、バルブレバー１１２によって、両方の方向で最大９０°まで円形のバルブ移動経路７００内での選択的な移動を可能にするように動作可能に構成される。軸２１４は、流体の損失及び漏れを防ぐのを容易にするために１つ以上のポリマーＯリングでバルブ筐体２１２に回転可能に連結されてよい。また、軸２１４は、バルブ軸２１４を容易に回転させるのを手助けするために１つ以上の軸受けでバルブ筐体２１２に回転可能に連結されてもよい。例えば、バルブ軸２１４は、導管を真空位置３００に構成するために第１の方向で（右回りで）９０°回転され得る。次いで、バルブ軸２１４は、導管を加圧放出位置４００に構成するために反対の第２の方向で（左回りで）９０°回転され得る。しかしながら、他の実施形態では、異なるバルブ軸操作機構及び回転の範囲を使用することができる。
【００４３】
このようにして、バルブ移動経路７００が真空位置３００にあるとき、ノズル開口部は、手持ち式吸引及び圧力筐体アセンブリ１１４の筐体の中に空気を吸い込むよう作動し、二次出口ポート１０８を通して空気を放出する。そして、バルブ移動通路が加圧放出位置４００にあるとき、吸引及び圧力筐体アセンブリ１１４のノズル開口部１２２は加圧された駆動用流体３０４を放出する。図５〜図６が示すように、バルブ軸２１４は、吸入ポート並びに接続されている導管及びポートと流体連通するように選択的に開放及び閉鎖することができる内部流体穴２１６を有する。バルブ軸２１４は、その上に画定された、内部流体穴２１６から構造的に及び流体的に独立している二次内部流体穴２１８をさらに有する。また、二次内部流体穴２１８は、隣接して接続されている導管及びポートに対して開放位置及び閉鎖位置に選択的に制御することもできる。
【００４４】
考えられる一実施形態では、バルブ軸２１４はバルブ移動経路７００に沿って動かされ、これは上述された９０°の回転を含む可能性がある。この移動経路を通じて、バルブ軸２１４は、バルブ移動経路７００に沿って真空位置３００に動作可能に動かされ、第１の、第２の、第３の、第４の、及び第５の導管は互いに流体連結され、内部流体穴２１６は第１の、第２の、第３の、第４の、及び第５の導管に流体連結されていない。
【００４５】
図３が示すように、第２の導管、二次内部流体穴、及び第５の導管は流体連通している。第４の導管内のベンチュリ水管３０２は、これらの接続されている導管及び穴において真空効果を生じさせるために駆動用流体３０４を加速させる。このようにして、真空位置３００は、第２の導管２０４、二次内部流体穴、及び第５の導管２１０、及び吸引及び圧力筐体アセンブリ１１４と流体連通している出口ポート内で真空を生成するように構成される。また、図５も、真空位置３００へ構成された導管及び流体穴の断面側面図を示す。ここで、導管は、第１の、第２の、第３の、第４の、及び第５の導管が互いに流体連結され、内部流体穴２１６は、第１の、第２の、第３の、第４の、及び第５の導管に流体連結されないように構成される。
【００４６】
ここで図４を参照すると、移動経路７００は、バルブ軸２１４が加圧放出位置４００を達成するために動かされるように導管を再構成することを含む場合がある。加圧放出位置４００で、内部流体穴、並びに第１の、第２の、及び第３の導管は互いに流体連結され、第４の及び第５の導管に流体連結されていない。これは、第４の及び第５の導管を閉じるために機能する。したがって、駆動用流体３０４は、皮膚／体の上への放出のために、出口ポート１０６を、その後、可撓性ユニット導管１１６を強制的に通されて、吸引及び圧力筐体アセンブリ１１４に至る。図６は、加圧放出位置４００の中に構成された導管及び流体穴の断面側面図を示す。図示されるように、内部流体穴、並びに第１の、第２の、及び第３の導管は互いに流体連結され、第４の及び第５の導管に流体連結されていない。
【００４７】
バルブ軸２１４の断面側面図を見ると、図７は、バルブ軸２１４が上端７０２と、バルブ軸２１４の上端７０２に対向する下端７０４と、左側面７０６と、バルブ軸２１４の左側面に対向する右側面８００（図８）とを含むことを示している。また、バルブ軸２１４は、左端７０８と、バルブ軸２１４の左端７０８に対向する右端７１０とによって画定されている。また、バルブ軸２１４は、バルブ軸２１４の左端及び右端７０８、７１０を分離する軸長によっても画定されている。
【００４８】
ここで図８を見ると、バルブ軸は、軸長に沿ってバルブ軸２１４の周辺部を取り囲み、バルブ軸２１４の上端７０２に配置された第１の包囲された開口７１４、バルブ軸２１４の下端７０４に配置され、第１の包囲された開口７１４と位置合わせされた第２の包囲された開口１１０２、バルブ軸２１４の左側面７０２に配置された第３の包囲された開口７１６、バルブ軸２１４の右側面８００に配置された第４の包囲された開口１１０４、及びバルブ軸２１４の下端７０４に配置された第５の包囲された開口７１８を画定する外面７１２も含む。
【００４９】
いくつかの実施形態では、装置１００は、吸入ポート１０４と流体連通し、吸入ポート１０４と選択的に取り外し可能に連結可能である（数字１２８で表される）流体源を含む（図２）。流体源１２８は、吸入ポートを通して加圧された駆動用流体３０４を放出するよう作動する。このようにして、真空位置３００で、加圧された駆動用流体３０４は、第４の導管内のベンチュリ水管３０２を通って、及び二次出口ポート１０８を通って迂回する。したがって、バルブ移動経路７００が真空位置３００にあるとき、ノズル開口部１２２は、手持ち式吸引及び圧力筐体アセンブリ１１４の筐体の中に空気を吸い込むよう作動し、二次出口ポート１０８を通して空気を放出する。ベンチュリ水管３０２を通過する駆動用流体３０４は、第２の導管、二次内部流体穴、及び第５の導管内で真空を生じさせる。また、加圧放出位置４００で、加圧された駆動流体３０４は第１の導管、内部流体穴、及び第３の導管を通って迂回し、それによって加圧駆動流体３０４は出口ポート１０６を通って流れ出る。図１〜図２に見られるように、装置１００は、例えば図に示される他のポートのようなネジ取付け具によって、従来のシャワーヘッド（不図示）と直接的に連結するように動作可能に構成されたヘッドポート１３０を含んでもよい。流体源を選択的に迂回させるために、装置１００のヘッド１３２は、移動し、流れをヘッドポート１３０又は流体移送網２００へ迂回させるように動作可能に構成されたプッシュバルブ１３４を含んでもよい。
【００５０】
流体移送網２００に関して、バルブ移動経路７００に沿った真空位置３００は、第１の、第２の、第３の、第４の、及び第５の導管に流体連結されていない第４の包囲された開口１１０４を含む。また、真空位置３００は、可撓性ユニット導管と、第５の包囲された開口１０１８と、第１の、第２の、第３の、第４の、及び第５の導管及び可撓性ユニット導管に流体連結された二次内部流体穴２１８とを含む。逆に、バルブ移動経路７００に沿った加圧放出位置４００は、第１の、第２の、及び第３の導管ならびに可撓性ユニット導管に流体連結された第１の及び第４の包囲された開口１０１４、１１０４並びに内部流体穴２１６と、第１の、第２の、第３の、第４の及び第５の導管並びに可撓性ユニット導管に流体連結されていない第５の包囲された開口１０１８及び二次内部流体穴２１８とを含む。したがって、バルブ移動経路が加圧放出位置４００にあるとき、ノズル開口部は加圧された駆動用流体３０４を放出するよう作動する。
【００５１】
ここで図９を参照すると、装置１００は、上述した筐体１０２及びバルブ軸２１４と連動して機能する手持ち式吸引及び圧力筐体アセンブリ１１４も含む。吸引及び圧力筐体アセンブリ１１４は、皮膚からオイル／アクネ／吹き出物を吸い取る間に、及び加圧された駆動用流体３０４、つまり水を皮膚に噴霧する間にユーザが掴む構成要素である。吸引及び圧力筐体アセンブリ１１４は、バルブ筐体と直接的に流体連通している。吸引及び圧力筐体アセンブリ１１４は、バルブ軸２１４の位置３００、４００に基づいて真空又は直接的な流体圧力を引き起こすのを容易にするノズル１２０を含む。一実施形態では、手持ち式吸引及び圧力筐体アセンブリ１１４は、その上に画定された、ノズル１２０に流体連結され、ユーザが指のサイズの穴を覆ってノズル１２０を通って誘導される真空を選択的に増加又は減少させることを可能にするように構成される、例えば、約０．２〜０．７インチの指の大きさの穴を含んでもよい。また、二次出口ポート１０８は、ユーザが、指のサイズの穴を覆って真空を選択的に増加又は減少させることを可能にするために指のサイズに作られてもよい。
【００５２】
図１０が示すように、手持ち式吸引及び圧力筐体アセンブリ１１４は、手の中にフィットするようなサイズ及び寸法に作られた筐体１１８を含む。この構成は、標準的な人間の手にフィットするように適合された滑らかな輪郭の短い管状の構成要素を含んでよい。制御スイッチ１２６は、筐体１１８上で操作可能である。制御スイッチ１２６は、アセンブリ１１４の電源入り及び切りを調節するためにバルブ軸２１４と通信するように構成される。また、制御スイッチ１２６は、ノズル１２０からの細かい噴霧、粗い噴霧、又は脈動する噴霧などの複数の噴霧パターンを制御するために使用されてもよい。制御スイッチ１２６は、例えば、本明細書に説明される１つ以上のＬＥＤ又は他の電気装置に結合されてよいＰＣＢ基板など、コントローラに電気的に及び通信で結合され得る１つ以上のリチウムイオン電池などの電源に電気的に結合される。
【００５３】
いくつかの実施形態では、可撓性ユニット導管１１６は、バルブ軸２１４を含むバルブ筐体２１２に吸引及び圧力筐体アセンブリ１１４の筐体１１８を連結するように構成される。非限定的な一実施形態では、可撓性ユニット導管１１６は、手持ち式吸引及び圧力筐体アセンブリ１１４を皮膚及び体の部分に沿って位置決めすることを可能にするほど十分に可撓性であるコイル状の金属管である。いくつかの実施形態では、バルブ筐体２１２は、それに連結されたノズル１２０を有する。ばねなどのノズル連結機構９００は、バルブ筐体２１２の開口部にノズルを固着するために使用され得る。しかしながら、他の実施形態では、ノズル連結機構９００は、ネジ付きボルト又はスナップ嵌め機構を含む場合もある。
【００５４】
図１１は、可撓性ユニット導管から切り離された手持ち式吸引及び圧力筐体アセンブリの斜視図である。いくつかの実施形態では、ノズル１２０は、可撓性ユニット導管１１６を通して筐体１０２の出口ポート１０６に流体連結される。このようにして、真空効果によって、ノズルを通した吸込みが可能になる。これは、皮膚から毛穴の黒ずみ及び他の望ましくない物体を吸い込むために役立つ場合がある。また、加圧された流体は、流体が出口ポート１０６を通ってノズル１２０に流れるにつれ、ノズル１２０を通って放出される。一実施形態では、ノズル１２０はノズル開口部１２２を画定する。ノズル開口部１２２は、選択的な放出タイプを可能にするように構成されてよい。例えば、幅広い噴霧は、駆動用流体３０４の狭い激しいストリームに変更できる。図１２が示すように、ノズル開口部１２２は少なくとも１つの二次取付け具１２００に流体連結されている。いくつかの実施形態では、二次取付け具１２００は、制限なく、光源と、マッサージパルスノズルと、ブラシと、ピックと、当該技術で既知の他の個人衛生ツールとを含んでもよい。
【００５５】
動作中、吸入ポートは、シャワーヘッド用の衛生器具などの流体吸入口に連結される。水を含む場合がある駆動用流体は、配管構成要素によって開放されて第１の導管を通る加圧された駆動用流体を生成する。バルブ軸２１４は、移動経路７００に沿って真空位置３００に回転される。加圧された駆動用流体３０４は、ベンチュリ水管３０２を通って第４の導管を通って、及び二次出口ポート１０８を通って迂回する。したがって、バルブ移動経路７００が真空位置３００にあるとき、ノズル開口部は手持ち式吸引及び圧力筐体アセンブリ１１４の中に空気を吸い込むよう作動し、二次出口ポート１０８を通して空気を放出する。
【００５６】
真空位置から、ユーザは、次いで手持ち式吸引及び圧力筐体アセンブリ１１４を掴み、皮膚に沿ってノズルを配置して、皮膚／体から毛穴の黒ずみ又は他の残渣を取り除き得る。吸引が第４の導管２０８を通って発生すると、気泡及び残留物が二次出口ポート１０８を通して放出される。次に、バルブ軸２１４は移動経路７００に沿って加圧流体位置４００に回転される。加圧された駆動用流体３０４は、第１の導管、内部流体穴、及び第３の導管を通って迂回し、それによって加圧された駆動用流体３０４は出口ポート１０６を通って流れ出る。ユーザは、次いで手持ち式吸引及び圧力筐体アセンブリ１１４を掴んで皮膚の上に流体を噴霧し得る。
【００５７】
多様な修正及び追加は、本開示の範囲から逸脱することなく例示的な実施形態に加えることができる。例えば、上述された実施形態は特定の特徴を参照しているが、本開示の範囲は上述された特徴のすべてを含まない特徴及び実施形態の異なる組合せを有する実施形態も含む。
【図１】
2022500199.tif 000003
【図２】
2022500199.tif 000004
【図３】
2022500199.tif 000005
【図４】
2022500199.tif 000006
【図５】
2022500199.tif 000007
【図６】
2022500199.tif 000008
【図７】
2022500199.tif 000009
【図８】
2022500199.tif 000010
【図９】
2022500199.tif 000011
【図１０】
2022500199.tif 000012
【図１１】
2022500199.tif 000013
【図１２】
2022500199.tif 000014
【国際調査報告】
2022500199.tif 000015